(57)【要約】【課題】出荷時に箱状に組み立てた化粧箱に物品を詰めたプラスチック製のパックの詰め込みをし、多数の化粧箱を段ボール箱に梱包し、搬送先で顧客等に渡す際手提げ型にすることができるもので物品に一切触れることの無い手提げ型可能化粧箱を提供すること。【解決手段】一枚の展開形状のシートａ１，ａ２を折り曲げて上方に開口できる直方体箱型に組み立て、さらに手提げ箱型に形成しうる手提げ型可能化粧箱Ａにおいて、対向する一対の蓋面板８は、それぞれ、開口を覆う蓋部８ａと、中央で拝み合わせにした際に、フック係止部８ｂが形成される手提げ部８ｃとを有し、いずれか一方の蓋面板８の蓋部８ａには、他方の蓋面板９のフック係止部８ｂと係合して直方体箱型状態を維持するスリット８ｄを形成し、他の対向する一対の蓋面板９は、それぞれ、フック係止部８ｂに係止して手提げ部８ｃの拝み合わせが離れないようにする細長い鍵穴９ｄを有している。【選択図】図４
0003129939.tif 000002
【実用新案登録請求の範囲】
【請求項１】
一枚の展開形状のシートを折り曲げて上方に開口できる直方体箱型に組み立て、さらに手提げ箱型に形成しうる手提げ型可能化粧箱において、
対向する一対の蓋面板は、それぞれ、前記開口を半分ずつ両側から覆う蓋部と、中央で拝み合わせにした際に、上端両端部にフック係止部が形成される手提げ部とを有し、いずれか一方の前記蓋面板の前記蓋部には、他方の蓋面板の前記フック係止部あるいはその両外側の部位と係合して直方体箱型状態を維持するスリットを形成し、
他の対向する一対の蓋面板は、それぞれ、前記手提げ部の端部に差し込み前記フック係止部に係止して前記手提げ部の拝み合わせが離れないようにする細長い鍵穴を有していることを特徴とする手提げ型可能化粧箱。
【請求項２】
請求項１において、前記スリット自体の対向する少なくとも一辺を前記手提げ部の対向方向に対して直交させるか、傾斜させて形成したことを特徴とする手提げ型可能化粧箱。
【請求項３】
請求項１又は２において、他の対向する一対の前記蓋面板は、それぞれ、前記鍵穴を含む吊り下げ部と、前記手提げ箱型にした際に前記蓋部の内側に位置するように前記吊り下げ部と切り込み線で曲げ分かれる内蓋部とを有していることを特徴とする手提げ型可能化粧箱。
【考案の詳細な説明】
【技術分野】
【０００１】
本考案は、一枚の展開形状のシートを折り曲げて箱状に組み立て、この箱の空間に物品、例えば、サクランボを入れてパックし、そのパックをそのまま持ち帰りできる容器になる折り畳み式手提げ型可能化粧箱に係り、特に大型の梱包容器、例えば段ボールに物品を詰めた本化粧箱を複数個収納、梱包し、出荷時の詰め状態のまま搬送し、配送先で開梱後、取り出して簡単に手提げ型可能に組み立てて、持ち運び可能にし詰め換による物品の損傷も無く持ち運びに便利な手提げ型可能化粧箱に関するものである。
【背景技術】
【０００２】
この種化粧箱としては、例えば洋菓子ケーキの持ち帰り箱として多用されている。
例えば、登録実用新案公報第３０３１６０３号（特許文献１参照）、特開２００４―３３８７９９号（特許文献２参照）、及び特開２００５―１１９７１５号（特許文献３参照）等多数が知られている。
【０００３】
これらの手提げ型可能化粧箱は、いずれも持ち帰りなどの使用の際に組み立て、箱内にケーキやお菓子、果実等を収納後、蓋部材で施蓋し、吊り下げ部の蓋押えの通し孔に手提げ部の両端の鍵部を嵌合させて施蓋し、手提げ部を組み立てた状態で持ち帰る構造であった。
【０００４】
例えば、輸送時、または容器に詰め込む際に損傷を受けやすいためプラスチック製のパックに収納された「さくらんぼ」を多数個、仕切りを着けたダンボール等の輸送資材に収納して輸送し、最終受け取り先で、ダンボールに同時に梱包され、或いは別に用意されていた折り畳んだままの化粧箱を取り出し、組み立てた後、パックをそれに入れ替えて持ち運ぶようにしていた。
【特許文献１】登録実用新案公報第３０３１６０３号公報
【特許文献２】特開２００４−３３８７９９号公報
【特許文献３】特開２００５−１１９７１５号公報
【考案の開示】
【考案が解決しようとする課題】
【０００５】
しかしながら、高価で損傷し易いサクランボなどを入れ替える等は、配送先の素人が行う作業として適当でなく、収納のサクランボを損傷するおそれがあり、また手提げ部の無い化粧箱は持ち運びに不便であった。そこで、本考案はこれらの欠点を排除して出荷時に箱状に組み立てた化粧箱に物品を詰めたプラスチック製のパックの詰め込みをし、多数の化粧箱を段ボール箱に梱包し、搬送先で顧客等に渡す際手提げ型にすることができるもので物品に一切触れることの無い手提げ型可能化粧箱を提供するものである。
【課題を解決するための手段】
【０００６】
本考案は、このような課題を解決するために、直方体箱型の対向する一対の蓋面板の一方には他方の蓋面板のフック係止部あるいはその両外側の部位と係合して直方体箱型状態を維持するスリットを形成し、他の対向する一対の蓋面板のそれぞれに前記フック係止部に係止して前記手提げ部の拝み合わせが離れないようにする細長い鍵穴を有している手提げ型可能化粧箱としている。
【考案の効果】
【０００７】
本考案に係る手提げ型可能化粧箱によれば、例えば、プラスチック製パックに収納したサクランボなどの物品を直方体形状の箱内に収納し、他の対向する蓋面板で蓋をするとともに対向する一対の蓋面板を重ね、蓋部が緩衝材、補強材とすることができる。またフック係止部あるいはその両外側の部位とスリットを係合させて直方体の箱型状態を維持させ、大型の梱包資材、例えばダンボールに詰め込み、搬送先での開梱時に直ちに係合を解除させて手提げ型にしてそのまま顧客に渡せる手提げ型可能化粧箱を提供することが出来る。特に、高価で傷つきやすいサクランボ等の収納物に詰め替えなどによる損傷を与えること無く、出荷搬送し、搬送先で手提げ型にして新鮮な物品を持ち運びしうることに効果がある。
【考案を実施するための最良の形態】
【０００８】
本考案に係る手提げ型可能化粧箱の一実施例を示し図面を用いて詳細に説明する。図1は物品入りパック、例えば痛みやすいサクランボを収納する手提げ型可能化粧箱A（以下、単に化粧箱という。）の段ボール箱への詰込み、輸送時の荷姿を示す斜視図である。図2は図1の化粧箱Aの上端部拡大右側面図である。図４，図５に示すように紙製、或いはその他の自立性が得られる素材から成る（一枚の展開形状の）シートを折り曲げて上方に開口できる直方体箱型に組み立て、さらに手提げ箱型に形成しうる化粧箱Aにしている。
【０００９】
図４は、底を組み付けて形成する化粧箱Ａの一展開形状のシートａ１を示している。
１は前面板、２は一対の側面板、３は背面板、４は（前面板１の側縁に設けられる）継手舌片である。これらは一点鎖線で示す折り曲げ線に沿って折り曲げられ継手舌片４が接着剤等で側面板２の内壁面に固着されて組み立てられ箱状物が構成される。底面は前面板１及び背面板３の下縁に設けられた底面舌片５、両側面板２の下縁に設けられた底面舌片６を互い違いに折り重ねて形成されている。或いは図４に示すように切り込み７同士を差し込み底面が組み合わせて形成されるものである。
【００１０】
前面板１及び背面板３の底面舌片５と反対側には、それぞれ組み立てた際に対向することとなる一対の蓋面板８が形成されている。この蓋面板８のそれぞれは、上方にできる開口を半分ずつ両側から覆う蓋部８ａと、中央で折り曲げ拝み合わせにした際に、上端両端部にフック係止部８ｂが形成される手提げ部８ｃとを有している。
【００１１】
いずれか一方の蓋面板８の蓋部８ａには他方の蓋面板８のフック係止部８ｂあるいはその両外側の部位と係合して直方体箱型状態を維持するスリット８ｄを形成している。このスリット８ｄは、スリット自体の対向する少なくとも一辺を組み立てた際に手提げ部８ｃの対向する方向に対して直交させるか、傾斜させて形成されている。この例では、フック係止部８ｂの外側に位置する部位が入り込むようにスリット８ｄは、蓋部８ａの両側縁から切り込みのように形成されている。他の例として、フック係止部８ｂの内側に位置する部位（フック係止部８ｂ間）が入り込むスリット８ｄは、二点鎖線で図示するように対向する蓋部８ａの中央部に形成される。この例においても、スリット８ｄに入り易くするため、対向する辺の一方を手提げ部８ｃの対向方向に対して傾斜させ、一方の側を太くすることも可能である。また、スリット８ｄの太さを一定にして手提げ部８ｃの対向方向に対して傾斜させて差し込みし易くしてもよい。
【００１２】
手提げ部８ｃは、蓋部８ａとの境界８ｅから立ち上がる門型の切り込み線８ｆを有しており、切り込み線８ｆで囲まれた部分は、境界８ｅで折り曲げられても蓋部８ａと同一面を形成し、折り曲げされない。したがって、この囲まれた部分は、化粧箱に組み立てられたときには重なり合うこととなる。そしてこの囲まれた部分が抜かれた穴は、何本（例えば４本）かの指が貫通する程の大きさである。
【００１３】
両側面板２の底面舌片６と反対側には、それぞれ組み立てた際に対向することとなる他の対向する一対の蓋面板９が形成されている。この蓋面板９のそれぞれには、台形状の切り込み線９ｃによって、曲げ分けられる吊り下げ部９ａと内蓋部９ｂとを形成している。この吊り下げ部９ａには、手提げ部８ｃの端部に差し込みフック係止部８ｂに係止して手提げ部８ｃの拝み合わせが離れないようにする細長い鍵穴９ｄが形成されている。
【００１４】
この吊り下げ部９ａが切り込み線９ｃで曲げ分かれされた残部は内蓋部９ｂであり、この内蓋部９ｂが側面板２に対し、直角に曲げられ、蓋部８ａの内側に位置している。したがって内蓋部９ｂは箱状にしたときの蓋部８ａを内側から支持し、あるいは詰物の移動を阻止する。
【００１５】
図５は、図４の底面舌片６を組んで底面を作るのではなく、既成の底である底面部１０を有する手提げ型可能化粧箱の他の展開形状シートａ２を示している。その一例として、図のように底面部１０を中心に八方に広がる展開形状となっており、前面板１、側面板２、背面板３との間に４分の１円のコーナー部１１が形成されている。このコーナー部１１には、組み立てた際に前面板１、側面板２及び背面板３が互いに直交するようにさせる折り曲げ線１１ａが形成されている。したがって、８分の１円同士が重なり合う。この重なり合ったものは、前面板１，側面板２または背面板３に沿うように曲げられる。このコーナー部１１は、両側の前面板１または背面板３と側面板２とのいずれか一方の繋がりを切って組み立てた際に前面板１、側面板２、背面板３の内側に沿うようにしてもよい。勿論のこと、何分の１円かをカットして繋がりを切ってもよい。さらに、コーナー部１１は、必ずしも円弧形状とする必要はない。
【００１６】
図５は、以上のような点が図４と違い、他の構成は同じであるので説明を省略する。ここに、図４、図５のような化粧箱Ａの展開シートａ２を折り曲げ、差し込みして図１、図２に示すようなものに組み立て、図６のように積み重ね、あるいは搬送のため段ボールなどに入れるようにしている。図１のような形体は、積み重ね、搬送に便利な形状になっており、購買客に渡す際などには、図１の形状から、スリット８ｄとフック係止部あるいはその両外側の部位との係合を解除し、蓋部８ａを一旦開ける。蓋部８ａを開けた後、蓋部８ａの内側に位置していた他の対向する一対の蓋面板９の内、内蓋部９ｂをそのままに、吊り下げ部９ａを立ち上げるように開く。対向する一対の蓋面板８の蓋部８ａで開口を塞ぎ、手提げ部８ｃ同士を拝み合わせにする。そして、吊り下げ部９ａの細長い鍵穴９ｄを、手提げ部８ｃの端部に差し込みフック係止部８ｂに係止して手提げ部８ｃの拝み合わせが離れないようにし、図３の手提げ型可能化粧箱にして手で吊り下げて持ち運べるようにしている。
【００１７】
ようするに、従来は、物品を出荷するような場合には、物品を例えばパックなどに詰めて後、段ボール箱に収納し、その段ボール箱などに中詰めせずに、折りたたんだままの化粧箱を同梱しておき、ああるいは別に用意しておき、出荷先で化粧箱を組み立て中に物品を入れ、手提げ型にして渡す。これに対して、本願手提げ型可能化粧箱は、パックなどに詰めた物品を組み立てた化粧箱に詰め、図１に示すように手提げ部８ｃを立てない箱型にして図６のように段ボール箱などのような容器に積み重ね収納し、出荷する。出荷先では、梱包されていた箱型の化粧箱を取り出し、物品を入れ替えることなく図３のような手提げ型可能化粧箱に組み立てて持ち運びに便利なようにしている。
【図面の簡単な説明】
【００１８】
【図１】本考案に係る手提げ型可能化粧箱の積み重ねや段ボールの箱などへの詰め込み状態での組み立てた外観を示す全体斜視図である。
【図２】図１の化粧箱の矢視拡大部分側面図である。
【図３】本考案の手提げ型可能化粧箱の手提げ箱型に組み立てた外観を示す全体斜視図である。
【図４】底を組み付けて形成する化粧箱の一展開形状図である。
【図５】既成の底を有する化粧箱の他の展開形状図である。
【図６】図1に示す状態の化粧箱を輸送用のダンボール箱に詰め込んだ荷姿である。
【符号の説明】
【００１９】
１    前面板
２    側面板
３    背面板
４    継手舌片
５、６    底面舌片
７    切り込み
８、９    蓋面板
８ａ  蓋部
８ｂ  フック係止部
８ｃ  手提げ部
８ｄ  スリット
８ｆ、９ｃ  切り込み線
９ａ  吊り下げ部
９ｂ  内蓋部
９ｄ  鍵穴
１０  底面部
１１  コーナー部
A    手提げ型可能化粧箱
ａ１  手提げ型可能化粧箱の一展開形状シート
ａ２  手提げ型可能化粧箱の他の展開形状シート
【図１】
0003129939.tif 000003
【図２】
0003129939.tif 000004
【図３】
0003129939.tif 000005
【図４】
0003129939.tif 000006
【図５】
0003129939.tif 000007
【図６】
0003129939.tif 000008